(57)【要約】【課題】  内部に残水が溜まることがなく、雑菌の繁殖も防ぐことができ、しかも冬季の凍結の虞も生じない吐水経路切替装置を提供する。【解決手段】  自動復帰ユニット２に軸３を介し弁体４が設けられ、第１吐水口７から吐水中に弁体４を介し第２吐水口８から吐水するように切り替え、その状態で止水した時に吐水方向が第１吐水口７側に自動復帰される構成の吐水経路切替装置１において、弁体４の軸３を延長して排水弁１０を設け、この排水弁１０が弁体４と連動して、吐水方向が第１吐水口７に切り替わった時に排水弁１０を開放して装置内の残水を排水できるように構成する。【選択図】  図４
2006105334.tif 000002
【特許請求の範囲】
【請求項１】
自動復帰ユニットに軸を介し弁体が設けられ、第１吐水口から吐水中に前記弁体を介し第２吐水口から吐水するように切り替え、その状態で止水した時に、吐水方向が前記第１吐水口側に自動復帰される構成の吐水経路切替装置において、前記弁体の軸を延長して排水弁を設け、該排水弁が前記弁体と連動して、吐水方向が前記第１吐水口に切り替わった時に前記排水弁を開放して装置内の残水を排水できるように構成したことを特徴とする吐水経路切替装置。
【請求項２】
前記排水弁の下流に、前記残水を排水する排水経路を設けたことを特徴とする請求項１に記載の吐水経路切替装置。
【請求項３】
前記排水経路を前記第１吐水口側の吐水経路と連結させたことを特徴とする請求項２に記載の吐水経路切替装置。
【発明の詳細な説明】
【技術分野】
【０００１】
本発明は、装置内の残水を良好に排水できる吐水経路切替装置に関するものである。
【背景技術】
【０００２】
従来、特許文献１に開示されているように、水栓を吐水状態にしつつ操作部で切替操作が行われると、水栓の吐水方向を第１吐水口から第２吐水口に切り替え、この切り替えられた状態で水栓を止水状態とすると、吐水方向を第１吐水口側に自動復帰させる自動復帰切替弁が存在する。
【特許文献１】特開平１１−９４１０８号公報
【発明の開示】
【発明が解決しようとする課題】
【０００３】
従来の自動復帰切替弁においては、排水機構が存在しないために残水が残り、次回の使用時に溜まった残水が吐水されたり、残水により雑菌が繁殖し不衛生になるという問題点があり、また寒冷地等では残水を抜かないと凍結の虞もあった。
なお、ネジ式の水抜き栓が設けられているような場合においては、水抜き栓を手動で操作して残水を抜く必要があり、操作が面倒であるという問題点があった。
【課題を解決するための手段】
【０００４】
本発明は上記従来の問題点に鑑み案出したものであって、面倒な操作を要することなく、良好に残水を排水することのできる吐水経路切替装置を提供するものであり、その請求項１は、自動復帰ユニットに軸を介し弁体が設けられ、第１吐水口から吐水中に前記弁体を介し第２吐水口から吐水するように切り替え、その状態で止水した時に、吐水方向が前記第１吐水口側に自動復帰される構成の吐水経路切替装置において、前記弁体の軸を延長して排水弁を設け、該排水弁が前記弁体と連動して、吐水方向が前記第１吐水口に切り替わった時に前記排水弁を開放して装置内の残水を排水できるように構成したことである。
【０００５】
また請求項２は、前記排水弁の下流に、前記残水を排水する排水経路を設けたことである。
【０００６】
また請求項３は、前記排水経路を前記第１吐水口側の吐水経路と連結させたことである。
【発明の効果】
【０００７】
本発明は、自動復帰ユニットに軸を介し弁体が設けられ、第１吐水口から吐水中に弁体を介し第２吐水口から吐水するように切り替え、その状態で止水した時に、吐水方向が第１吐水口側に自動復帰される構成の吐水経路切替装置において、弁体の軸を延長して排水弁を設け、排水弁が弁体と連動して吐水方向が第１吐水口に切り替わった時に排水弁を開放して装置内の残水を排水できるように構成したことにより、弁体を操作するだけで残水を排水することができ、装置内に残水が溜まることがなく、次回使用時に装置内に残った冷水を浴びてしまうことがなく、冬季の凍結の虞がある際に水を出し続ける必要もなくなる。
また、装置内に残水が残らないため、雑菌の繁殖も防ぐことができるものとなる。
【０００８】
また、排水弁の下流に、残水を排水する排水経路を設けたことにより、残水を外部に良好に排水することができ、衛生的であり、また、残水が排水されていることを確認しやすいものとなる。
【０００９】
また、排水経路を、第１吐水口側の吐水経路と連結させたことにより、排水経路から流出する残水を吐水口から排水することで、排水経路用の排水口を設ける必要がなくなり、構造が簡単なものとなる。
【実施例】
【００１０】
以下、本発明の実施例を図面に基づいて説明する。
図１及び図２は第１実施例を示し、吐水経路切替装置１を浄水器として用いる場合の破断概略斜視構成図である。
図において、吐水経路切替装置１内には、自動復帰ユニット２が設けられ、この自動復帰ユニット２から延びる軸３には弁体４が設けられており、外側の切替ハンドル５を操作することにより、弁体４を移動させることができるように構成されている。なお、吐水経路切替装置１には、流入口６が開口されており、流入口６の図示左側には第１吐水口７が形成され、右端側には第２吐水口８が形成されて、この第２吐水口８の更に先端には、排水口９が形成されている。
【００１１】
本例では、軸３が弁体４から更に右方に延長されて、軸３の先端には、排水口９を開閉できる排水弁１０が設けられている。
また、流入口６と第２吐水口８の間に浄水カートリッジ１１が内装されており、この浄水カートリッジ１１は浄化機能を備えたものである。
図１の状態では、流入口６から装置内に流入された原水は、第１吐水口７から原水のまま吐水されるものである。
【００１２】
第１吐水口７からの吐水中に、ハンドル５を図２のように回して操作すると、弁体４は流入口６の図示左側に移動し、これにより、流入口６から装置内に入った原水は、浄水カートリッジ１１を通り浄水となり、第２吐水口８から吐水されるものである。この時には、排水弁１０は排水口９に密着して排水口９を閉じた状態に保持している。
この第２吐水口８から浄水を吐水している状態で、ハンドル５を操作して止水した時には、自動復帰ユニット２を介して弁体４が図示右側へ移動し、吐水方向が図１の状態に自動復帰されるように構成されている。
【００１３】
この図１のような状態に自動復帰された時に、排水弁１０が排水口９から離れ、第２吐水口８側および装置１内の残水が良好に排水口９から排水されるものである。
従って、止水した時には自動的に第１吐水口７側に吐水方向が切り替わると同時に、排水弁１０が開かれて、残水が強制的に排水されるため、第２吐水口８側および装置内に残水が溜まることがなく、次回の使用時に残水が吐水されることもなく、残水が残らないために雑菌の繁殖も無く、衛生的である。
また、冬季に凍結の虞がある際にも、止水すれば自動的に排水弁１０が開かれて排水されるため、凍結を防ぐことができるものとなる。
【００１４】
次に、図３〜図８においては、第２実施例を示す。
第２実施例では、全身シャワー装置における吐水経路切替装置を例示するものである。
図３に示すように、全身シャワー装置２０は、カウンターカバー２１内に水栓機構が内装されており、カウンターカバー２１の前面には、左側より、温度調節ハンドル２２と切替ハンドル２３と止水ハンドル２４が設けられ、切替ハンドル２３は、吐水口２５からの吐水と全身シャワーとを切り替えることができるハンドルであり、この切替ハンドル２３に図４の断面図で示すような吐水経路切替装置１が設けられている。
なお、右側の止水ハンドル２４は、吐水口２５への吐水とハンドシャワー２９への吐水を切り替えることができるとともに、流量調整と止水操作をも行えるものである。
【００１５】
全身シャワー装置２０は、鏡２６の左右に回動アーム２７ａ，２７ｂが設けられ、また下方には、左右に固定アーム２８ａ，２８ｂが設けられて、それぞれのアーム２７ａ，２７ｂ，２８ａ，２８ｂには、複数のノズル３０，３０，３０が設けられ、各ノズル３０，３０から温水を噴出させて、全身にシャワーを浴びることができるように構成したものである。
前記切替ハンドル２３に連結された吐水経路切替装置１内には、スプリング２ａを備えた自動復帰ユニット２が設けられており、この自動復帰ユニット２から軸３が横設され、軸３には弁体４が設けられているとともに、軸３の先端側には排水弁１０が設けられている。
また、装置１には第１吐水口７と第２吐水口８が設けられており、また右端側には排水口９が開口されている。第２吐水口８は、全身シャワー装置のノズル３０，３０へ温水を送り出すことができるものである。
【００１６】
このような構成において、図４の状態では、弁体４により第２吐水口８側は閉じられており、流入口６から流入する湯水は、第１吐水口７を通り吐水口２５から吐水されるものである。この状態で切替ハンドル２３を操作して、全身シャワー側へ切り替えると、図５の状態となり、弁体４が左側へ移動し、第１吐水口７側が閉じられ、流入口６から温水が第２吐水口８を通り複数のノズル３０へ供給されて、ノズル３０からシャワー水が噴出されるものである。
なお、この時には、排水口９は排水弁１０により閉じられることとなる。
【００１７】
なお、この図５の状態では、弁体４の右側の水圧が大であるため、水圧がスプリング２ａの付勢力より勝っており、弁体４は第１吐水口７を閉じた状態に保持される。この状態で前記止水ハンドル２４を操作して止水状態とすると、流入口６から装置１内への湯水の流入が止まるため、弁体４の右側の水圧が無くなり、この時にスプリング２ａの付勢力により弁体４および排水弁１０は右側へ移動して、自動的に第２吐水口８側を閉じ、排水口９が排水弁１０の移動により開かれ、図４の状態となる。
従って、止水した時には、回動アーム２７ａ，２７ｂ等の第２吐水口８側の経路内に残っている残水、および装置１内に残っている残水が、良好に排水口９から外部に排水されることとなる。
従って、回動アーム２７ａ，２７ｂに残水が残ることがなく、次回の使用時に残水が冷水として吐水されることがなく、また残水が内部で腐敗することがなく衛生的なものとなる。しかも、寒冷地においても、自動的に残水が排水されるため、凍結の虞もないものとなる。
【００１８】
次に、図６の概略図で示すものは、第１吐水口７から下方へホース等で吐水経路３１を設け、吐水経路３１の下端を、カウンターカバー２１の下端に開口された吐水口３２に連結したものである。
このような構成では、第１吐水口７からの湯水を確実にカウンターカバー２１の吐水口３２から外部に吐水することができるものとなる。
【００１９】
また図７は、更に異なる変形例であり、排水口９の下流側にホース等で排水経路３３を設け、この排水経路３３の下端を、カウンターカバー２１の下面側に開口した排水口３４に連通接続させたものである。
このような構成では、残水が排水口９から排水経路３３を通り、排水口３４から確実に排水されるため、カウンターカバー２１内に水が溜まるようなことがなく、しかも排水口３４から排水される残水を目で確認することができ、残水が確実に排水されたことを良好に確認できるものとなる。
【００２０】
更に図８のように構成することもでき、図８では、排水経路３３を吐水経路３１に連結させたものであり、この連結部分の排水経路３３内には逆止弁３５を内装させたものである。
このような構成では、別途排水口３４を形成させることなく、排水経路３３を通して残水を吐水口３２から良好に外部に排水することができるものとなり、しかも逆止弁３５を設けておくことにより、吐水口３２からの吐水時に排水経路３３へ吐水が逆流することを良好に防ぐことができるものとなる。
【００２１】
なお、前記図４に示したような排水弁１０を備えた吐水経路切替装置１は、図９に示すような水栓にも設けておくことができ、図９の水栓４０においては、上面に温度調節ハンドル４１と、止水ハンドル４２が設けられ、正面に図４のような吐水経路切替装置１を備えた切替ハンドル４３が設けられており、下面側に吐水口４４が形成されている。
また、側面側からホース４５を介し、ハンドシャワー４６が連結されている。
【００２２】
この図９のような水栓４０においても、吐水口４４から吐水中に、切替ハンドル４３を操作してハンドシャワー４６側へ吐水を切り替えて、ハンドシャワー４６からシャワー水を噴出させることができ、その状態で止水ハンドル４２を操作して止水した時に、吐水方向が吐水口４４側に自動復帰されるものであり、この時に排水口９（図示せず）が排水弁１０（図示せず）により開かれて、ハンドシャワー４６およびホース４５内に残る残水を排水口９（図示せず）から強制的に排水させることができるものとなり、特にホース４５内等には残水が残らないために、次回の使用時にハンドシャワー４６からホース４５内に残った冷水が噴出される虞がなく、また残水が内部で腐敗することもなく衛生的である。
更に、自動的に残水が排水されるため、凍結の虞もないものとなる。
【図面の簡単な説明】
【００２３】
【図１】第１実施例を示し、吐水経路切替装置を浄水器として構成した場合の第１吐水口からの吐水状態を示す内部構成図である。
【図２】図１の状態から弁体が切り替えられて第２吐水口から浄水を吐水している状態の内部構成図である。
【図３】第２実施例を示す全身シャワー装置の正面構成図である。
【図４】全身シャワー装置の切替ハンドルに連結された吐水経路切替装置の第１吐水口からの吐水状態を示す断面構成図である。
【図５】図４の状態から弁体が切り替えられて第２吐水口から吐水している状態の断面構成図である。
【図６】吐水経路を介し外部に吐水可能に構成した概略構成図である。
【図７】更に排水口にも排水経路を連結した概略構成図である。
【図８】排水経路を吐水経路に連結した構成の概略構成図である。
【図９】第３実施例を示すハンドシャワーを備えた水栓の斜視構成図である。
【符号の説明】
【００２４】
１  吐水経路切替装置
２  自動復帰ユニット
２ａ  スプリング
３  軸
４  弁体
５  切替ハンドル
６  流入口
７  第１吐水口
８  第２吐水口
９  排水口
１０  排水弁
１１  浄水カートリッジ
２０  全身シャワー装置
２１  カウンターカバー
２２  温度調節ハンドル
２３  切替ハンドル
２４  止水ハンドル
２５  吐水口
２７ａ，２７ｂ  回動アーム
２８ａ，２８ｂ  固定アーム
２９  ハンドシャワー
３０  ノズル
３１  吐水経路
３２  吐水口
３３  排水経路
３４  排水口
３５  逆止弁
４０  水栓
４２  止水ハンドル
４３  切替ハンドル
４４  吐水口
４５  ホース
４６  ハンドシャワー
【図１】
2006105334.tif 000003
【図２】
2006105334.tif 000004
【図３】
2006105334.tif 000005
【図４】
2006105334.tif 000006
【図５】
2006105334.tif 000007
【図６】
2006105334.tif 000008
【図７】
2006105334.tif 000009
【図８】
2006105334.tif 000010
【図９】
2006105334.tif 000011